(57)【特許請求の範囲】
【請求項１】
三次元的にジグザグ状に屈曲して互いに絡み合わされた樹脂製の弾性細線材により構成されたマットを備えた敷きマットにおいて、
上記マットの上下面のうち、少なくともいずれか一方の面に通気用溝を形成し、上記マットにおいて通気用溝を形成した面のうち、少なくともいずれかの面に重ね合わされる可撓性の平坦材を設け、上記通気用溝の内面と上記マットの面に重ね合わされた上記平坦材の面との間に上記通気用溝に沿って延びる長尺の空洞を形成し、この通気用溝の横断面を山形形状、もしくは円弧凹形状にし、
上記マットにおける通気用溝の形成部分、非形成部分にかかわらず、平面視での単位面積当りの上記細線材の質量をほぼ一定としたことを特徴とする敷きマット。
【請求項２】
上記通気用溝を格子状に形成したことを特徴とする請求項１に記載の敷きマット。
【請求項３】
上記マットの上下面のうち、少なくともいずれか一方の面を形成する外部層における上記細線材の密度を、内部層におけるそれよりも大きくしたことを特徴とする請求項１、もしくは２に記載の敷きマット。
【請求項４】
上記マットにおいて通気用溝を形成した面に重ね合わされる面の静摩擦係数が上記マットにおける上記面の静摩擦係数よりも大きい可撓性の平坦体により、上記平坦材を構成したことを特徴とする請求項１から３のうちいずれか１つに記載の敷きマット。
【請求項５】
上記マットにおいて通気用溝を形成した面のうち、少なくともいずれかの面に滑り止め加工を施したことを特徴とする請求項１から３のうちいずれか１つに記載の敷きマット。
【請求項６】
請求項６の発明は、請求項１に記載の敷きマットの形成方法であって、
平坦な板形状のマットの所望面に対し、上記通気用溝を転写した形状の押し金型を加熱して押接し、上記細線材を熱可塑させて上記通気用溝を形成することを特徴とする敷きマットの形成方法。
【発明の詳細な説明】
【技術分野】
【０００１】
本発明は、その上面に人が寝たり座ったりしたときでも、内部における通気性が良好に保たれるようにした敷きマット、およびその形成方法に関するものである。
【背景技術】
【０００２】
上記敷きマットには、従来、下記特許文献１に示されるものがある。この公報のものによれば、敷きマットは、水平に平坦に延びる通気性および弾性を有するマットを備えている。このマットには、その平面視の一端部側から熱交換機により空気が供給されるようになっており、この空気は上記マットの内部を流動した後、他端部から排出されるようになっている。
【０００３】
そして、上記マットの内部を流動する空気と、上記敷きマットの上面に寝たり座ったりした人との間で熱交換が行われて、上記敷きマットへの寝心地や座り心地が向上させられるようになっている。
【先行技術文献】
【特許文献】
【０００４】
【特許文献１】特開平１０−１７４６３６号公報
【発明の概要】
【発明が解決しようとする課題】
【０００５】
ところで、敷きマットでは、その上面に人が寝たり座ったりすると、上記マットの一部分が人から与えられる外力により厚さ方向で収縮するよう弾性変形して、その部分の通気性が阻害されるおそれがある。そして、このように通気性が阻害されたとすると、上記した空気と人との間における熱交換が不十分となって、良好な寝心地や座り心地が確保し難くなるという不都合を生じる。
【課題を解決するための手段】
【０００６】
本発明は、上記のような事情に注目してなされたもので、本発明の目的は、敷きマットの上面に人が寝たり座ったりしたときでも良好な通気性が維持されて、寝心地や座り心地が良好に保たれるようにすることである。
【０００７】
請求項１の発明は、三次元的にジグザグ状に屈曲して互いに絡み合わされた樹脂製の弾性細線材１３により構成されたマット７，８を備えた敷きマットにおいて、
上記マット７，８の上下面のうち、少なくともいずれか一方の面に通気用溝１４を形成し、上記マット７，８において通気用溝１４を形成した面のうち、少なくともいずれかの面に重ね合わされる可撓性の平坦材を設け、上記通気用溝１４の内面と上記マット７，８の面に重ね合わされた上記平坦材の面との間に上記通気用溝１４に沿って延びる長尺の空洞を形成し、この通気用溝１４の横断面を山形形状、もしくは円弧凹形状にし、
上記マット７，８における通気用溝１４の形成部分、非形成部分にかかわらず、平面視での単位面積当りの上記細線材１３の質量をほぼ一定としたことを特徴とする敷きマットである。
【０００８】
請求項２の発明は、上記通気用溝１４を格子状に形成したことを特徴とする請求項１に記載の敷きマットである。
【０００９】
請求項３の発明は、上記マット７，８の上下面のうち、少なくともいずれか一方の面を形成する外部層１７における上記細線材１３の密度を、内部層１８におけるそれよりも大きくしたことを特徴とする請求項１、もしくは２に記載の敷きマットである。
【００１０】
請求項４の発明は、上記マット７，８において通気用溝１４を形成した面に重ね合わされる面の静摩擦係数が上記マット７，８における上記面の静摩擦係数よりも大きい可撓性の平坦体９により、上記平坦材を構成したことを特徴とする請求項１から３のうちいずれか１つに記載の敷きマットである。
【００１１】
請求項５の発明は、上記マット７，８において通気用溝１４を形成した面のうち、少なくともいずれかの面に滑り止め加工を施したことを特徴とする請求項１から３のうちいずれか１つに記載の敷きマットである。
【００１２】
請求項６の発明は、請求項１に記載の敷きマットの形成方法であって、
平坦な板形状のマット７，８の所望面に対し、上記通気用溝１４を転写した形状の押し金型を加熱して押接し、上記細線材１３を熱可塑させて上記通気用溝１４を形成することを特徴とする敷きマットの形成方法。
【００１３】
なお、この項において、上記各用語に付記した符号や図面番号は、本発明の技術的範囲を後述の「実施例」の項や図面の内容に限定解釈するものではない。
【発明の効果】
【００１４】
本発明による効果は、次の如くである。
【００１５】
請求項１の発明は、三次元的にジグザグ状に屈曲して互いに絡み合わされた樹脂製の弾性細線材により構成されたマットを備えた敷きマットにおいて、
上記マットの上下面のうち、少なくともいずれか一方の面に通気用溝を形成し、上記マットにおいて通気用溝を形成した面のうち、少なくともいずれかの面に重ね合わされる可撓性の平坦材を設け、上記通気用溝の内面と上記マットの面に重ね合わされた上記平坦材の面との間に上記通気用溝に沿って延びる長尺の空洞を形成している。
【００１６】
このため、上記敷きマットの上面に人が寝たり座ったりすることにより、この敷きマットのマットの一部分が人から与えられる外力により、厚さ方向で収縮するよう弾性変形したとしても、このマットに形成された通気用溝内の長尺の空洞により、良好な通気性が維持される。よって、敷きマットの上面での寝心地や座り心地が良好に保たれる。
【００１７】
また、上記通気用溝の横断面を山形形状、もしくは円弧凹形状にしている。
【００１８】
このため、上記敷きマットの面方向で、通気用溝の溝幅の中央部分と通気用溝の非形成部分との互いの遷移部では、マットの厚さ寸法は徐々に変化することとなって、この遷移部の弾性や剛性が徐々に変化する。よって、上記したように、マットに通気用溝を形成したとしても、この通気用溝が、敷きマット上の人に与える違和感は小さく抑制されて、上記寝心地等は良好に保たれる。
【００１９】
また、上記マットにおける通気用溝の形成部分、非形成部分にかかわらず、平面視での単位面積当りの上記細線材の質量をほぼ一定としている。
【００２０】
このため、上記敷きマットの平面視でのマットの各部における弾性や剛性は、全体的により均一に維持される。よって、上記したように、マットに通気用溝を形成したとしても、この通気用溝が、敷きマット上の人に与える違和感は小さく抑制されて、上記寝心地等は良好に保たれる。
【００２１】
請求項２の発明は、上記通気用溝を格子状に形成している。
【００２２】
このため、上記敷きマットの良好な通気性が方向性なく、かつ、より確実に維持される。
【００２３】
請求項３の発明は、上記マットの上下面のうち、少なくともいずれか一方の面を形成する外部層における上記細線材の密度を、内部層におけるそれよりも大きくしている。
【００２４】
ここで、上記のようにマットの外部層の細線材の密度を大きくすると、その分、外部層の剛性が向上する。このため、例えば、第１に、密度の大きい外部層に通気用溝を形成してやれば、上記敷きマットの一部分に与えられる外力によりマットが弾性変形したとしても、上記通気用溝が変形することは抑制されて、良好な通気性が維持される。
【００２５】
また、第２に、密度が小さいままとされた外部層に通気用溝を形成した場合、この外部層をマットの下面側にし、密度の大きい外部層を上面側にしてやれば、密度が大きく剛性が向上した上面側の外部層への外力は、この外部層で分散されて上記下面側の外部層に対し、より広く伝達される。よって、この外部層に形成された通気用溝が上記外力により変形することは抑制されて、良好な通気性が維持される。
【００２６】
即ち、上記のように外部層における密度を内部層におけるそれよりも大きくすると、この構成を種々利用することにより、種々の作用が生じる。このため、敷きマットの適用の自由度が向上する。
【００２７】
請求項４の発明は、上記マットにおいて通気用溝を形成した面に重ね合わされる面の静摩擦係数が上記マットにおける上記面の静摩擦係数よりも大きい可撓性の平坦体により、上記平坦材を構成している。
【００２８】
このため、上記マットが外力を与えられ、通気用溝が変形しようとするとき、この通気用溝の両開口縁が互いに離れようとすることは、上記平坦体との間で生じる摩擦力により防止される。よって、上記通気用溝が上記外力により変形することは抑制されて、良好な通気性が維持される。
【００２９】
請求項５の発明は、上記マットにおいて通気用溝を形成した面のうち、少なくともいずれかの面に滑り止め加工を施している。
【００３０】
このため、上記マットが外力を与えられ、通気用溝が変形しようとするとき、この通気用溝の両開口縁が互いに離れようとすることは、上記滑り止め加工により防止される。よって、上記通気用溝が上記外力により変形することは抑制されて、良好な通気性が維持される。
【００３１】
請求項６の発明は、請求項１に記載の敷きマットの形成方法であって、
平坦な板形状のマットの所望面に対し、上記通気用溝を転写した形状の押し金型を加熱して押接し、上記細線材を熱可塑させて上記通気用溝を形成するようにしている。
【００３２】
このため、上記形成方法によれば、請求項１に記載の敷きマットが確実に得られる。
【図面の簡単な説明】
【００３３】
【図１】マット装置の全体斜視部分破断図である。
【図２】図１のII−II線矢視拡大断面図である。
【図３】図２のIII−III線矢視部分拡大図である。
【発明を実施するための形態】
【００３４】
本発明の敷きマットに関し、敷きマットの上面に人が寝たり座ったりしたときでも良好な通気性が維持されて、寝心地や座り心地が良好に保たれるようにする、という目的を実現するため、本発明を実施するための形態は、次の如くである。
【００３５】
即ち、敷きマットは、三次元的にジグザグ状に屈曲して互いに絡み合わされた樹脂製の弾性細線材により構成されたマットを備えている。上記マットの上下面のうち、少なくともいずれか一方の面に通気用溝を形成し、上記マットにおいて通気用溝を形成した面のうち、少なくともいずれかの面に重ね合わされる可撓性の平坦材を設け、上記通気用溝の内面と上記マットの面に重ね合わされた上記平坦材の面との間に上記通気用溝に沿って延びる長尺の空洞を形成している。この通気用溝の横断面を山形形状、もしくは円弧凹形状にしている。また、上記マットにおける通気用溝の形成部分、非形成部分にかかわらず、平面視での単位面積当りの上記細線材の質量をほぼ一定としている。
【実施例】
【００３６】
本発明をより詳細に説明するために、その実施例を添付の図に従って説明する。
【００３７】
図において、符号１は、空気流動式のマット装置であり、このマット装置１は、通気性のある敷きマット２と、この敷きマット２の内部に熱交換用の空気３を供給して、流動させる熱交換機４とを備えている。
【００３８】
上記敷きマット２は、水平かつ平坦に延び、通気性および弾性を有して上、下に重ねられる上、下部マット７，８と、これら上、下部マット７，８の間に介在される可撓性の平坦体９と、これら７〜９を全体的に開閉可能に覆う非通気性のカバー体１０とを備えている。
【００３９】
上記各マット７，８、平坦体９、およびカバー体１０は、平面視でほぼ同形同大の長方形状をなしている。上記各マット７，８の幅、長さ、厚さは、５０〜７０ｃｍ、１７０〜１９０ｃｍ、２０〜５０ｃｍとされる。但し、この数値や、以下に説明の各数値は、これらに限定されるものではない。
【００４０】
上記各マット７，８は、単数もしくは複数のポリエステル樹脂製の弾性細線材１３を三次元的にジグザグ状に屈曲させて互いに絡み合わせたものである。また、これら各マット７，８に所定の通気性を確保する上で、空隙率は８０％以上とされている。また、これら各マット７，８に対するその厚さ方向における外力を２０００Ｎ／ｍ２とした場合、弾性変形後の厚さ／元の厚さ＝６０％以上とされている。
【００４１】
上記上部マット７の下面には、その幅方向と長手方向とにそれぞれ直線的に延びる複数の通気用溝１４が形成されている。これら通気用溝１４は、それぞれ互いに平行に延び、１０〜１５ｃｍのピッチで互いに並設され、つまり、これら通気用溝１４は、平面視で格子状に形成されている。なお、上記通気用溝１４は単に縞形状となるよう配置してもよい。また、上記各通気用溝１４の長手方向各部の横断面は互いに同形同大の山形形状とされている。これら横断面における溝幅寸法Ｗは１．５〜３ｃｍ、溝高さ寸法Ｈは１〜２ｃｍとされる。この場合、前記平坦体９は、本願特許請求の範囲にいう平坦材に相当する。
【００４２】
なお、上記各通気用溝１４の横断面は、図２中二点鎖線で示すように円弧凹形状であってもよい。また、上記下部マット８の上面に、図２中二点鎖線で示すように、上記通気用溝１４の横断面と同形同大の通気用溝１４を、これら通気用溝１４，１４同士が互いに対向するよう形成してもよい。また、図示しないが、上記のような通気用溝１４を上部マット７の上面や下部マット８の上、下面に形成してもよく、この場合、前記カバー体１０は、本願特許請求の範囲にいう平坦材に相当する。また、上記通気用溝１４を通り、マット７，８をその厚さ方向で貫通する貫通孔を上記通気用溝１４の格子状の交差部や、長手方向に所定ピッチで形成してもよい。
【００４３】
上記各マット７，８は、上記通気用溝１４の形成部分、非形成部分にかかわらず、平面視での単位面積当りの上記細線材１３の質量（ｇｒ／ｍ２）がほぼ一定とされている。
【００４４】
上記の場合、各通気用溝１４の形成方法は、例えば、平坦な板形状のマット７，８の所望面に対し、上記通気用溝１４を転写した形状の押し金型を加熱して押接し、細線材１３を熱可塑させる、というものである。
【００４５】
上記各マット７，８の上下面のうち、少なくともいずれか一方の面を形成する外部層１７における上記細線材１３の密度（ｇｒ／ｃｍ３）は、内部層１８におけるそれよりも大きくされている。
【００４６】
上記した密度の異なる各マット７，８の形成方法は、例えば、第１に、平坦な板形状のマット７，８の所望面に平坦な押し金型を加熱して押接し、上記外部層１７の細線材１３を熱可塑させて厚さ方向に少し収縮させる、というものである。また、第２に、上記外部層１７と内部層１８とを個別に形成して互いに重ね合わせる、というものである。
【００４７】
前記平坦体９は、滑り止め体であって、上記マット７，８における通気用溝１４を形成した面のうち、少なくともいずれかの面に重ね合わされ、この面の静摩擦係数よりも大きい静摩擦係数を有する網体２０とされている。
【００４８】
上記網体２０は、高強力ポリエステル樹脂製繊維により形成された網体基材２１の表面に、軟質の塩化ビニル等樹脂製の滑り止め材２２を強固にコーティングしたものである。上記網体２０の縦、横の密度（本／ｃｍ）は３〜７とされている。これにより、この網体２０に良好な通気性が確保される。また、単位面積当りの質量（ｇｒ／ｍ２）は４５０〜５５０とされている。また、上記滑り止め材２２の静摩擦係数は０．７以上とされるが、１．０以上であることがより好ましい。ここで、この静摩擦係数の測定は、ＪＩＳ  Ｋ７１２５を準用して判定したものである。
【００４９】
なお、上記平坦体９は、表面に滑り止め材２２をコーティングするなどして静摩擦係数を大きくしたシートやマットであってもよい。また、上記マット７，８において通気用溝１４を形成した面のうち、少なくともいずれかの面に上記滑り止め材２２をコーティングすることにより滑り止め加工を施してもよい。
【００５０】
また、上記敷きマット２は、上、下部マット７，８のうち、いずれか一方のみを備えるものであってもよい。
【００５１】
前記カバー体１０は、非通気性の樹脂繊維シート製であるが、人体の湿気を透過させて上記マット７，８側に吸湿させる一方、人体の温度を放熱させる作用を有するものである。
【００５２】
上記マット装置１における熱交換機４を作動させれば、この熱交換機４から吐出される空気３は、上記敷きマット２の長手方向の一端部内に供給される。上記空気３は、上記敷きマット２の内部の各マット７，８の内部と各通気用溝１４とを流動して、敷きマット２の長手方向の他端部内から大気に排出され、もしくは、上記熱交換機４に戻される。
【００５３】
そして、上記各マット７，８の内部を流動する空気３と、上記敷きマット２の上面に寝たり座ったりした人との間で熱交換が行われて、上記敷きマット２への寝心地や座り心地が向上させられるようになっている。
【００５４】
上記構成によれば、三次元的にジグザグ状に屈曲して互いに絡み合わされた樹脂製の弾性細線材１３により構成されたマット７を備えた敷きマットにおいて、
上記マット７の上下面のうち、少なくともいずれか一方の面に通気用溝１４を形成している。
【００５５】
このため、上記敷きマット２の上面に人が寝たり座ったりすることにより、この敷きマット２のマット７，８の一部分が人から与えられる外力により、厚さ方向で収縮するよう弾性変形したとしても、このマット７，８に形成された通気用溝１４により、良好な通気性が維持される。よって、敷きマット２の上面での寝心地や座り心地が良好に保たれる。
【００５６】
また、上記通気用溝１４の横断面を山形形状、もしくは円弧凹形状にしている。
【００５７】
このため、上記敷きマット２の面方向で、通気用溝１４の溝幅の中央部分２４と通気用溝１４の非形成部分との互いの遷移部２５では、マット７，８の厚さ寸法は徐々に変化することとなって、この遷移部２５の弾性や剛性が徐々に変化する。よって、上記したように、マット７，８に通気用溝１４を形成したとしても、この通気用溝１４が、敷きマット２上の人に与える違和感は小さく抑制されて、上記寝心地等は良好に保たれる。
【００５８】
また、前記したように、通気用溝１４を格子状に形成している。
【００５９】
このため、上記敷きマット２の良好な通気性が方向性なく、かつ、より確実に維持される。
【００６０】
また、前記したように、マット７，８における通気用溝１４の形成部分、非形成部分にかかわらず、平面視での単位面積当りの上記細線材１３の質量をほぼ一定としている。
【００６１】
このため、上記敷きマット２の平面視でのマット７，８の各部における弾性や剛性は、全体的により均一に維持される。よって、上記したように、マット７，８に通気用溝１４を形成したとしても、この通気用溝１４が、敷きマット２上の人に与える違和感は小さく抑制されて、上記寝心地等は良好に保たれる。
【００６２】
また、前記したように、マット７の上下面のうち、少なくともいずれか一方の面を形成する外部層１７における上記細線材１３の密度を、内部層１８におけるそれよりも大きくしている。
【００６３】
ここで、上記のようにマット７，８の外部層１７の細線材１３の密度を大きくすると、その分、外部層１７の剛性が向上する。このため、例えば、第１に、密度の大きい外部層１７に通気用溝１４を形成してやれば、上記敷きマット２の一部分に与えられる外力によりマット７，８が弾性変形したとしても、上記通気用溝１４が変形することは抑制されて、良好な通気性が維持される。
【００６４】
また、第２に、密度が小さいままとされた外部層１７に通気用溝１４を形成した場合、この外部層１７をマット７，８の下面側にし、密度の大きい外部層１７を上面側にしてやれば、密度が大きく剛性が向上した上面側の外部層１７への外力は、この外部層１７で分散されて上記下面側の外部層１７に対し、より広く伝達される。よって、この外部層１７に形成された通気用溝１４が上記外力により変形することは抑制されて、良好な通気性が維持される。
【００６５】
即ち、上記のように外部層１７における密度を内部層１８におけるそれよりも大きくすると、この構成を種々利用することにより、種々の作用が生じる。このため、敷きマット２の適用の自由度が向上する。
【００６６】
また、前記したように、マット７，８において通気用溝１４を形成した面のうち、少なくともいずれかの面に重ね合わされ、この面の静摩擦係数よりも大きい静摩擦係数を有する可撓性の平坦体９を設けている。
【００６７】
このため、上記マット７，８が外力を与えられ、通気用溝１４が変形しようとするとき、この通気用溝１４の両開口縁が互いに離れようとすることは、上記平坦体９との間で生じる摩擦力により防止される。よって、上記通気用溝１４が上記外力により変形することは抑制されて、良好な通気性が維持される。
【００６８】
また、前記したように、マット７，８において通気用溝１４を形成した面のうち、少なくともいずれかの面に滑り止め加工を施している。
【００６９】
このため、上記マット７，８が外力を与えられ、通気用溝１４が変形しようとするとき、この通気用溝１４の両開口縁が互いに離れようとすることは、上記滑り止め加工により防止される。よって、上記通気用溝１４が上記外力により変形することは抑制されて、良好な通気性が維持される。
【００７０】
なお、上記平坦体９は、次のような構造のものであってもよい。即ち、平坦体９は、平面視でハニカム形状となるよう紐材により形成された上、下網体と、上下方向に延びてこれら上、下網体を互いに連結する多数の樹脂製の弾性細線材とを備えている。上記各網体は、それぞれ平面視で互いに同形同大の６角形状をなす上記紐材製の枠体を多数有し、これら枠体は水平方向に規則正しく連設され、かつ、互いに一体的に連結されている。なお、上記したハニカム形状を形成する枠体は、厳密な６角形である必要はなく、この枠体は４角形状であってもよい。
【００７１】
また、一つの使用態様として、上記通気用溝１４を形成したか否かにかかわらず、上記マット７，８の上、下面に上記したハニカム形状の平坦体９をそれぞれ重ね合わせてもよい。
【符号の説明】
【００７２】
１    マット装置
２    敷きマット
３    空気
４    熱交換機
７    マット
８    マット
９    平坦体
１０  カバー体
１３  細線材
１４  通気用溝
１７  外部層
１８  内部層
２０  網体
２５  遷移部
Ｗ    溝幅寸法
Ｈ    溝高さ寸法
【図１】
0005565982.tif 000002
【図２】
0005565982.tif 000003
【図３】
0005565982.tif 000004